(57)【要約】【課題】使用状況に応じて一般的な情報処理プログラムと写真画像表示とを選択的に実行する情報処理装置を提供する。【解決手段】データ内容をユーザに視認可能に表示する表示部を有する表示部筐体と、ユーザの操作を受け付ける入力部を上面に有する入力部筐体とを有する情報処理装置において、入力部筐体の上面が設置面に対向して設置されており、かつ、表示部筐体と入力部筐体とがなす角度が所定の範囲にあるときに、表示部に写真画像を表示するよう、情報処理装置を構成する。【選択図】図２
2011076299.tif 000002
【特許請求の範囲】
【請求項１】
データ内容をユーザに視認可能に表示する表示部を有する表示部筐体と、ユーザの操作を受け付ける入力部を上面に有する入力部筐体とを有する情報処理装置において、
前記入力部筐体の上面が設置面に対向して設置されており、かつ、前記表示部筐体と前記入力部筐体とがなす角度が所定の範囲にあるときに、前記表示部に写真画像を表示することを特徴とする、情報処理装置。
【請求項２】
データ内容をユーザに視認可能に表示する表示部を有する表示部筐体と、
ユーザの操作を受け付ける入力部を上面に有する入力部筐体と、
前記表示部筐体と前記入力部筐体とがなす角度を検出する角度検出手段と、
前記入力部筐体の上面が設置面に対向して設置されていることを検出する設置検出手段と、
前記角度検出手段により検出された角度が所定の範囲にあり、かつ、前記設置検出手段により前記入力部筐体の上面が設置面に対向して設置されていることが検出されたときに、前記表示部に写真画像を表示させる画像表示手段とを有することを特徴とする、情報処理装置。
【請求項３】
前記入力部が、押下に対応して所定のコードを出力する複数のキーを集合配置したキーボードであることを特徴とする、請求項２に記載の情報処理装置。
【請求項４】
前記設置検出手段が、前記キーのうち少なくとも２以上が同時に押下されたときに、前記入力部筐体の上面が設置面に対向して設置されていると検出することを特徴とする、請求項３に記載の情報処理装置。
【請求項５】
前記表示部が長方形であり、
前記画像表示部が、前記表示部の対向する辺の少なくとも一組において、いずれの辺にも写真画像が表示されるよう表示することを特徴とする、請求項２ないし４に記載の情報処理装置。
【請求項６】
前記所定の範囲が２７０度から３６０度であることを特徴とする、請求項１ないし５に記載の情報処理装置。
【発明の詳細な説明】
【技術分野】
【０００１】
本発明は、一般的な情報処理プログラムと写真画像表示とを選択的に実行可能な情報処理装置に関する。
【背景技術】
【０００２】
画像をデジタルデータとして記録するデジタルカメラが一般家庭に普及してきている。ユーザは、デジタルカメラを利用して撮影したデジタル画像データを蓄積するようになっている。また、一般家庭で利用可能となっているデジタルデータ通信網であるインターネットを経由して、また、デジタルデータを記録して持ち運び可能なメモリーカードや光ディスク媒体を介して、他人の作成したデジタル画像データも、ユーザは入手して蓄積可能である。
【０００３】
このようにユーザが蓄積しているデジタル画像データの順次閲覧を可能とするデジタルフォトフレームが提案されてきており、例えば特許文献１には、消費電力の低減、及び防犯性能の向上を図ることができるデジタルフォトフレームが記載されている。
【先行技術文献】
【特許文献】
【０００４】
【特許文献１】特開２００９−１９８５６５号公報
【発明の概要】
【発明が解決しようとする課題】
【０００５】
ユーザは、蓄積されたデジタルデータの閲覧のために、専用機であるデジタルフォトフレームを用意することが求められていた。デジタルフォトフレームは専用機であるため他の用途では使用することができず、また、操作方法も独自に定義されたものを新たに覚える必要があった。これらの条件は、ユーザからデジタルフォトフレームの導入を遠ざけていた。
【０００６】
一方、デジタルカメラと同様に、パーソナルコンピュータが一般家庭に普及してきている。ユーザは、パーソナルコンピュータで画像表示プログラムを実行することにより、蓄積するデジタル画像データを表示することができる。しかし、パーソナルコンピュータに画像表示プログラムを実行させるためには、ユーザは明示的に指示する必要があり、煩雑であった。
【０００７】
そこで、本発明は、使用状況に応じて一般的な情報処理プログラムと写真画像表示とを選択的に実行する情報処理装置を提供することを目的とする。
【課題を解決するための手段】
【０００８】
本発明の第１の情報処理装置は、データ内容をユーザに視認可能に表示する表示部を有する表示部筐体と、ユーザの操作を受け付ける入力部を上面に有する入力部筐体とを有する情報処理装置において、入力部筐体の上面が設置面に対向して設置されており、かつ、表示部筐体と入力部筐体とがなす角度が所定の範囲にあるときに、表示部に写真画像を表示することを特徴とする。
【０００９】
本発明の第２の情報処理装置は、データ内容をユーザに視認可能に表示する表示部を有する表示部筐体と、ユーザの操作を受け付ける入力部を上面に有する入力部筐体と、表示部筐体と入力部筐体とがなす角度を検出する角度検出手段と、入力部筐体の上面が設置面に対向して設置されていることを検出する設置検出手段と、角度検出手段により検出された角度が所定の範囲にあり、かつ、設置検出手段により入力部筐体の上面が設置面に対向して設置されていることが検出されたときに、表示部に写真画像を表示させる画像表示手段とを有することを特徴とする。
【発明の効果】
【００１０】
本発明によれば、使用状況に応じて一般的な情報処理プログラムと写真画像表示とを選択的に実行する情報処理装置を提供できる。
【図面の簡単な説明】
【００１１】
【図１】入力して使用されるときの本実施形態の情報処理装置の側面図である。
【図２】画像情報を表示するときの本実施形態の情報処理装置の側面図である。
【図３】収納されるときの本実施形態の情報処理装置の側面図である。
【図４】本実施形態の情報処理装置の機能ブロックを示す図である。
【発明を実施するための形態】
【００１２】
以下、図面を参照して本発明を実施するための形態について詳細に説明する。本実施形態は、表示部筐体と入力部筐体から成る情報処理装置、例えばノートパソコンである。
【００１３】
図１は、入力して使用されるときの本実施形態の情報処理装置の側面図である。図１を参照すると、情報処理装置１は、表示部筐体２と入力部筐体３とがヒンジ４により回動可能に接続され、設置面７に設置されている。表示部筐体２は、１つの面に表示部５を有する。表示部５は、情報処理装置１が有する図示しない情報処理部による処理結果を、ユーザが視認可能に表示する。表示部５は、例えば液晶ディスプレイパネルにより構成可能である。
【００１４】
入力部筐体３は、ヒンジ４によって回動されて表示部筐体２と重なり合ったときに、表示部５と対向する面に入力部６を有する。入力部６は、情報処理装置１における情報処理に関するユーザの操作を受け付ける。入力部６は、例えば押下に対応して所定のコードを出力する複数のキーを集合配置したキーボードや接触部位に対応して座標を含む所定のコードを出力するタッチパッドなどにより構成可能である。
【００１５】
ヒンジ４は、表示部筐体２と入力部筐体３とを回動可能に接続する。ヒンジ４には図示しない角度センサが設けられており、角度センサによって表示部筐体２と入力部筐体３とが成す角度を検出することができるよう構成されている。
【００１６】
図１を参照すると、情報処理装置１は、入力部筐体３の入力部６を有しない底面が設置面７に対向するように設置され、ヒンジ４によって表示部筐体２が入力部筐体３と約１３５度をなす位置で保持されている。これにより、ユーザは、入力部６の操作と表示部５に表示される内容の視認とが可能になっている。このとき、ユーザは、一般的な情報処理アプリケーションプログラム、例えばワードプロセッサ、表計算プログラム、メールプログラム、Ｗｅｂブラウザなどを実行することができる。
【００１７】
なお、図１において、情報処理装置１は設置面７に設置されているが、設置面７への設置は必須ではなく、ユーザが入力部筐体３を手で保持し、設置面７に設置されていないときであっても入力部６から情報処理装置１へ入力して使用することが可能である。
【００１８】
図２は、画像情報を表示するときの本実施形態の情報処理装置の側面図である。図２を参照すると、情報処理装置１は、入力部筐体３の入力部６を有する上面が設置面７に対向するように設置され、ヒンジ４によって表示部筐体２が入力部筐体３と約３１５度をなす角度で保持されている。
【００１９】
このとき、入力部６であるキーボードを構成する複数のキーのうち少なくとも２以上が同時に押されたことを検出することにより、入力部筐体３の上面が設置面７に設置されていることを検出することができる。入力部筐体３の上面が設置面７に設置されていることの検出は、入力部筐体３の上面に図示しないピンを設けたり、図示しない光センサを設けたりすることによっても可能である。
【００２０】
情報処理装置１は、表示部筐体２と入力部筐体３との角度が２７０度以上であり、入力部筐体３の上面が設置面に設置されていることを検出すると、表示部６に写真画像を表示する。写真画像は、情報処理装置１の有する図示しない不揮発メモリや、情報処理装置１の有する図示しない記憶媒体読取部に装着された記憶媒体から読み出したり、情報処理装置１の有する図示しない通信部を介して外部装置から受信したりすることができる。このとき、表示部５の表示エリアが長方形で構成されている場合、長方形の対向する辺の少なくとも一組において、いずれの辺にも写真画像が表示される、いわゆるフルスクリーン表示を行うようにすると、ユーザは写真画像を主要な表示対象として認識することができるので、好適である。
【００２１】
図３は、収納されるときの本実施形態の情報処理装置の側面図である。図３を参照すると、情報処理装置１は、入力部筐体３の底面が設置面７に対向するように設置され、ヒンジ４によって表示部筐体２が入力部筐体３と約０度をなす位置で保持されている。このとき、情報処理装置１は設置面７に設置されているが、設置面７への設置は必須ではなく、ユーザが入力部筐体３を手で保持した状態で使用しないでいてもよい。
【００２２】
図４は、本実施形態の情報処理装置の機能ブロックを示す図である。図４を参照すると、情報処理装置１は、角度検出手段１０、設置検出手段１１、画像表示手段１２および制御手段１３を有する。
【００２３】
角度検出手段１０は、表示部筐体２と入力部筐体３とがなす角度を検出する。角度検出手段１０は、具体的には、角度検出手段１０は、表示部筐体２と入力部筐体３とを接続するヒンジ４に設ける角度センサによって構成することができる。
【００２４】
設置検出手段１１は、入力部筐体３の上面が設置面に対向して設置されていることを検出する。具体的には、設置検出手段１１は、入力部６であるキーボードを構成する複数のキーが押されたことを検出するよう構成された回路、または、汎用プロセッサ上で動作するプログラムによって構成することができる。また、設置検出手段１１は、入力部筐体３の上面にピンや光センサを設けることによっても構成することができる。
【００２５】
画像表示手段１２は、角度検出手段１０が検出する角度が２７０度以上であり、かつ、設置検出手段１１が設置を検出したときに、表示部５に写真画像を表示する。このとき、表示部５の表示エリアが長方形で構成されている場合、長方形の対向する辺の少なくとも一組において、いずれの辺にも写真画像が表示される、いわゆるフルスクリーン表示を行うようにすると、ユーザは写真画像を主要な表示対象として認識することができるので、好適である。
【符号の説明】
【００２６】
１    情報処理装置
２    表示部筐体
３    入力部筐体
４    ヒンジ
５    表示部
６    入力部
７    設置面
１０  角度検出手段
１１  設置検出手段
１２  画像表示手段
【図１】
2011076299.tif 000003
【図２】
2011076299.tif 000004
【図３】
2011076299.tif 000005
【図４】
2011076299.tif 000006